【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
画像出力装置と通信可能な情報処理装置であって、
前記情報処理装置の表示部に表示された画面におけるポインタの位置を示すポインタ位置情報を取得する取得手段と、
前記画面内に配置されたオブジェクトに対する前記ポインタを用いた操作を検知する検知手段と、
前記画面に対応する画面データの少なくとも一部を前記画像出力装置に送信するよう制御する送信制御手段と、を有し、
前記送信制御手段による送信のモードには、前記画面データの少なくとも一部と前記取得手段により取得された前記ポインタ位置情報とを関連付けずに送信する第１の送信モードと、前記画面データの少なくとも一部と前記取得手段により取得された前記ポインタ位置情報とを関連づけて送信する第２の送信モードとが含まれ、
前記検知手段により所定の操作が検知された場合、前記送信制御手段は前記第２の送信モードで前記画面データの少なくとも一部を送信する
ことを特徴とする情報処理装置。
【請求項２】
前記ポインタ位置情報は、前記ポインタの前記画面における位置を示す座標情報であることを特徴とする請求項１に記載の情報処理装置。
【請求項３】
前記第１の送信モードでは、前記送信制御手段は前記画面データの少なくとも一部と、前記取得手段により取得された前記ポインタ位置情報とを独立して送信するよう制御することを特徴とする請求項１または２に記載の情報処理装置。
【請求項４】
前記第２の送信モードでは、前記送信制御手段は前記画面データの少なくとも一部に、前記取得手段により取得された前記ポインタ位置情報を付加して送信するよう制御することを特徴とする請求項１乃至３のいずれか１項に記載の情報処理装置。
【請求項５】
前記送信制御手段により送信された前記画面データの少なくとも一部と前記ポインタ位置情報は、前記画像出力装置において前記画面データの少なくとも一部と前記ポインタとを既に出力された画面データに重畳して出力するために用いられることを特徴とする請求項１乃至４のいずれか１項に記載の情報処理装置。
【請求項６】
画像出力装置と通信可能な情報処理装置であって、
前記情報処理装置の表示部に表示された画面内に配置されたオブジェクトに対する所定の操作を検知する検知手段と、
前記画面に対応する画面データの少なくとも一部を前記画像出力装置に送信するよう制御する送信制御手段と、を有し、
前記送信制御手段による送信のモードには、前記画面データのうち、前記オブジェクトが配置されている第１の領域と前記オブジェクトが配置されていない第２の領域とを別のデータとして送信する第１の送信モードと、前記第１の領域と前記第２の領域とを１つのデータとして送信する第２の送信モードとが含まれ、
前記検知手段により前記所定の操作が検知された場合、前記送信制御手段は前記第２の送信モードで前記画面データの少なくとも一部を送信する
ことを特徴とする情報処理装置。
【請求項７】
前記検知手段により前記オブジェクトをドラッグする操作が検知された場合、前記送信制御手段は前記第２の送信モードで前記画面データの少なくとも一部を送信することを特徴とする請求項１乃至６のいずれか１項に記載の情報処理装置。
【請求項８】
前記オブジェクトは、前記画面内に配置されたウィンドウであることを特徴とする請求項１乃至７のいずれか１項に記載の情報処理装置。
【請求項９】
前記画像出力装置は、前記情報処理装置から受信したデータを投影可能なプロジェクタであることを特徴とする請求項1乃至８のいずれか１項に記載の情報処理装置。
【請求項１０】
画像出力装置と通信可能な情報処理装置の制御方法であって、
前記情報処理装置の表示部に表示された画面におけるポインタの位置を示すポインタ位置情報を取得する取得工程と、
前記画面内に配置されたオブジェクトに対する前記ポインタを用いた操作を検知する検知工程と、
前記画面に対応する画面データの少なくとも一部を前記画像出力装置に送信するよう制御する送信制御工程と、を有し、
前記送信制御工程における送信のモードには、前記画面データの少なくとも一部と前記取得工程において取得された前記ポインタ位置情報とを関連付けずに送信する第１の送信モードと、前記画面データの少なくとも一部と前記取得工程において取得された前記ポインタ位置情報とを関連づけて送信する第２の送信モードとが含まれ、
前記検知工程において所定の操作が検知された場合、前記送信制御工程において前記第２の送信モードで前記画面データの少なくとも一部が送信される
ことを特徴とする情報処理装置の制御方法。
【請求項１１】
画像出力装置と通信可能な情報処理装置の制御方法であって、
前記情報処理装置の表示部に表示された画面内に配置されたオブジェクトに対する所定の操作を検知する検知工程と、
前記画面に対応する画面データの少なくとも一部を前記画像出力装置に送信するよう制御する送信制御工程と、を有し、
前記送信制御工程における送信のモードには、前記画面データのうち、前記オブジェクトが配置されている第１の領域と前記オブジェクトが配置されていない第２の領域とを別のデータとして送信する第１の送信モードと、前記第１の領域と前記第２の領域とを１つのデータとして送信する第２の送信モードとが含まれ、
前記検知工程において前記所定の操作が検知された場合、前記送信制御工程において前記第２の送信モードで前記画面データの少なくとも一部が送信される
ことを特徴とする情報処理装置の制御方法。
【請求項１２】
コンピュータを、請求項１乃至９のいずれか１項に記載の情報処理装置の各手段として機能させるためのプログラム。
【手続補正２】
【補正対象書類名】明細書
【補正対象項目名】発明の名称
【補正方法】変更
【補正の内容】
【発明の名称】情報処理装置、制御方法及びプログラム
【手続補正３】
【補正対象書類名】明細書
【補正対象項目名】００１１
【補正方法】変更
【補正の内容】
【００１１】
前述の目的を達成するために、本発明の実施形態に係る情報処理装置は、以下の構成を備える。
画像出力装置と通信可能な情報処理装置であって、情報処理装置の表示部に表示された画面におけるポインタの位置を示すポインタ位置情報を取得する取得手段と、画面内に配置されたオブジェクトに対するポインタを用いた操作を検知する検知手段と、画面に対応する画面データの少なくとも一部を画像出力装置に送信するよう制御する送信制御手段と、を有し、送信制御手段による送信のモードには、画面データの少なくとも一部と取得手段により取得されたポインタ位置情報とを関連付けずに送信する第１の送信モードと、画面データの少なくとも一部と取得手段により取得されたポインタ位置情報とを関連づけて送信する第２の送信モードとが含まれ、検知手段により所定の操作が検知された場合、送信制御手段は第２の送信モードで画面データの少なくとも一部を送信することを特徴とする。
【手続補正４】
【補正対象書類名】明細書
【補正対象項目名】００１２
【補正方法】変更
【補正の内容】
【００１２】
また本発明の別の実施形態に係る情報処理装置は、以下の構成を備える。
画像出力装置と通信可能な情報処理装置であって、情報処理装置の表示部に表示された画面内に配置されたオブジェクトに対する所定の操作を検知する検知手段と、画面に対応する画面データの少なくとも一部を画像出力装置に送信するよう制御する送信制御手段と、を有し、送信制御手段による送信のモードには、画面データのうち、オブジェクトが配置されている第１の領域とオブジェクトが配置されていない第２の領域とを別のデータとして送信する第１の送信モードと、第１の領域と第２の領域とを１つのデータとして送信する第２の送信モードとが含まれ、検知手段により前記所定の操作が検知された場合、送信制御手段は第２の送信モードで画面データの少なくとも一部を送信することを特徴とする。
【手続補正５】
【補正対象書類名】図面
【補正対象項目名】図６
【補正方法】変更
【補正の内容】
【図６】
2013142928.tif 000001
【手続補正６】
【補正対象書類名】図面
【補正対象項目名】図１１
【補正方法】変更
【補正の内容】
【図１１】
2013142928.tif 000002
【手続補正７】
【補正対象書類名】図面
【補正対象項目名】図１２
【補正方法】変更
【補正の内容】
【図１２】
2013142928.tif 000003